(57)【要約】【課題】空気調和機の運転に対してどのくらい電気代がかかるのかを事前に知ることができない。【解決手段】端末装置４の表示画面１０に、１週間のそれぞれの日ごとに、天気予報の気象情報を表示する気象情報表示部６１と、空気調和機の予測電気代を表示する予測電気代表示部６２と、空気調和機の運転時間を表示する運転時間表示部６３と、空気調和機の設定温度を表示する設定温度表示部６４とが表示される。そして、例えば、ユーザによって、優先項目として予測電気代が設定された後、設定温度表示部６４に表示された設定温度が変更された場合には、その変更された設定温度に対応するように、運転時間表示部６３に表示される運転時間が連動して変更される。【選択図】図３
2014231964.tif 000002
【特許請求の範囲】
【請求項１】
所定期間についての天気予報の気象情報を記憶する気象情報記憶手段と、
所定期間についての空気調和機の複数の運転情報を記憶する運転情報記憶手段と、
前記気象情報記憶手段に記憶された天気予報の気象情報と前記運転情報記憶手段に記憶された複数の運転情報とに対応した所定期間の予測電気代を記憶する予測電気代記憶手段と、
前記運転情報記憶手段に記憶された複数の運転情報および前記予測電気代記憶手段に記憶された予測電気代が表示される表示画面と、
前記表示画面に表示される予測電気代および複数の運転設定のうちで優先される優先項目を記憶する優先項目記憶手段と、
前記表示画面に表示される予測電気代および複数の運転設定のうちで優先項目以外のいずれかの項目の内容について記憶手段に記憶された内容を変更する変更手段とを備え、
予測電気代および複数の運転設定のうちで優先項目以外のいずれかの項目の内容が変更された場合に、優先項目および変更された項目の内容を変更しない状態で、予測電気代および複数の運転設定のうちで優先項目および変更された項目以外の残りの項目の内容が連動して変更されることを特徴とする空調制御システム。
【請求項２】
前記表示画面には、所定期間についての天気予報の気象情報が表示されることを特徴とする請求項１に記載の空調制御システム。
【請求項３】
天気予報の気象情報が、所定期間の天気予報、所定期間における最高気温および最低気温の少なくとも１つを含むことを特徴とする請求項２に記載の空調制御システム。
【請求項４】
前記表示画面には、空気調和機の運転情報として、設定温度、運転時間、風量および運転モードの少なくとも１つが表示されることを特徴とする請求項１−３のいずれかに記載の空調制御システム。
【請求項５】
天気予報の気象情報の通信を行う通信手段を備えることを特徴とする請求項１−４のいずれかに記載の空調制御システム。
【請求項６】
前記気象情報記憶手段が、複数の所定期間のそれぞれについての天気予報の気象情報を記憶し、
前記運転情報記憶手段が、複数の所定期間のそれぞれについての空気調和機の複数の運転情報を記憶し、
前記予測電気代記憶手段が、複数の所定期間のそれぞれについての予測電気代を記憶しており、
前記表示画面には、複数の所定期間のそれぞれについて、前記運転情報記憶手段に記憶された複数の運転情報および前記予測電気代記憶手段に記憶された予測電気代が表示されることを特徴とする請求項１−５のいずれかに記載の空調制御システム。
【請求項７】
複数の所定期間のそれぞれについて算出された予測電気代に基づいて複数の所定期間を含む期間における予測電気代の合計を算出する予測電気代合計算出手段と、
前記表示画面には、前記予測電気代合計算出手段で算出された予測電気代の合計が表示されることを特徴とする請求項６に記載の空調制御システム。
【請求項８】
前記表示画面には、複数の所定期間を含む期間における予測電気代の合計の推移が表示されることを特徴とする請求項７に記載の空調制御システム。
【請求項９】
複数の所定期間を含む期間のうち過去の期間における消費電気代の合計を算出する消費電気代合計算出手段を備え、
前記表示画面には、前記消費電気代合計算出手段で算出された消費電気代の合計が表示されることを特徴とする請求項６−８に記載の空調制御システム。
【請求項１０】
前記表示画面には、過去の期間における消費電気代の合計の推移が表示されることを特徴とする請求項９に記載の空調制御システム。
【請求項１１】
コンピュータを、
所定期間についての空気調和機の複数の運転情報を記憶する運転情報記憶手段から読み出された運転情報、および、所定期間についての天気予報の気象情報を記憶する気象情報記憶手段から読み出された天気予報の気象情報と運転情報記憶手段から読み出された複数の運転情報とに対応した所定期間の予測電気代を記憶する予測電気代記憶手段から読み出され予測電気代が表示されるように表示画面を制御する表示制御手段と、
前記表示画面に表示される予測電気代および複数の運転設定のうちで、優先項目記憶手段に記憶される優先項目以外のいずれかの項目について記憶手段に記憶された内容を変更する変更手段と、
予測電気代および複数の運転設定のうちで優先項目以外のいずれかの項目の内容が変更された場合に、優先項目および変更された項目の内容を変更しない状態で、予測電気代および複数の運転設定のうちで優先項目および変更された項目以外の残りの項目の内容を連動して変更する連動変更手段として機能させることを特徴とする空調制御プログラム。 
【発明の詳細な説明】
【技術分野】
【０００１】
本発明は、空気調和機における電気代を表示する空調制御システムおよび空調制御プログラムに関する。
【背景技術】
【０００２】
従来の空気調和機には、ユーザに対して消費電気代を知らせるために消費電気代を表示するものがある。したがって、ユーザは、これまでに使用した消費電気代を把握することができる。
【先行技術文献】
【特許文献】
【０００３】
【特許文献１】特開２０１０−１７５１０２
【発明の概要】
【発明が解決しようとする課題】
【０００４】
昨今の節電ニーズの高まりから、これまでに使用した消費電気代を把握するだけでなく、事前に、空気調和機の運転に対してどのくらい電気代がかかるのかを知り、賢く節電したいというニーズがある。
【０００５】
そこで、本発明の目的は、天気予報に基づいて空気調和機における予測電気代を表示する空調制御システムおよび空調制御プログラムを提供することである。
【課題を解決するための手段】
【０００６】
第１の発明にかかる空調制御システムは、所定期間についての天気予報の気象情報を記憶する気象情報記憶手段と、所定期間についての空気調和機の複数の運転情報を記憶する運転情報記憶手段と、前記気象情報記憶手段に記憶された天気予報の気象情報と前記運転情報記憶手段に記憶された複数の運転情報とに対応した所定期間の予測電気代を記憶する予測電気代記憶手段と、前記運転情報記憶手段に記憶された複数の運転情報および前記予測電気代記憶手段に記憶された予測電気代が表示される表示画面と、前記表示画面に表示される予測電気代および複数の運転設定のうちで優先される優先項目を記憶する優先項目記憶手段と、前記表示画面に表示される予測電気代および複数の運転設定のうちで優先項目以外のいずれかの項目について記憶手段に記憶された内容を変更する変更手段とを備え、予測電気代および複数の運転設定のうちで優先項目以外のいずれかの項目の内容が変更された場合に、優先項目および変更された項目の内容を変更しない状態で、予測電気代および複数の運転設定のうちで優先項目および変更された項目以外の残りの項目の内容が連動して変更されることを特徴とする。
【０００７】
第１１の発明にかかる空調制御プログラムは、コンピュータを、所定期間についての天気予報の気象情報を記憶する気象情報記憶手段から読み出された天気予報の気象情報と、所定期間についての空気調和機の複数の運転情報を記憶する運転情報記憶手段から読み出された複数の運転情報とに対応した所定期間の予測電気代を記憶する予測電気代記憶手段と、前記運転情報記憶手段に記憶された複数の運転情報および前記予測電気代記憶手段に記憶された予測電気代が表示されるように表示画面を制御する表示制御手段と、前記表示画面に表示される予測電気代および複数の運転設定のうちで、優先項目記憶手段に記憶される優先項目以外のいずれかの項目について記憶手段に記憶された内容を変更する変更手段と、予測電気代および複数の運転設定のうちで優先項目以外のいずれかの項目の内容が変更された場合に、優先項目および変更された項目の内容を変更しない状態で、予測電気代および複数の運転設定のうちで優先項目および変更された項目以外の残りの項目の内容を連動して変更する連動変更手段として機能させることを特徴とする。
【０００８】
この空調制御システムおよび空調制御プログラムでは、所定期間について、天気予報の気象情報と空気調和機の複数の運転情報（例えば設定温度や運転時間など）に基づいて所定期間の予測電気代が算出され、その予測電気代および複数の運転情報が表示画面に表示される。したがって、ユーザは、天気予報に基づいた予測電気代を事前に知ることができる。そして、ユーザが、予測電気代および複数の運転情報のうちで優先される優先項目を設定して、優先項目以外のいずれかの項目の内容を変更すると、その変更された内容に連動して、優先項目および変更された項目以外の残りの項目の内容が変更される。よって、ユーザは、天気予報に基づいた予測電気代を考慮して空気調和機の運転を見直すことができる。
【０００９】
第２の発明にかかる空調制御システムは、第１の発明にかかる空調制御システムにおいて、前記表示画面には、所定期間についての天気予報の気象情報が表示されることを特徴とする。
【００１０】
この空調制御システムでは、天気予報の気象情報が表示画面に表示されるので、ユーザは、所定期間についての天気予報の気象情報を考慮して空気調和機の運転を見直すことができる。
【００１１】
第３の発明にかかる空調制御システムは、第１または第２の発明にかかる空調制御システムにおいて、天気予報の気象情報が、所定期間の天気予報、所定期間における最高気温および最低気温の少なくとも一つを含むことを特徴とする。
【００１２】
この空調制御システムでは、ユーザは、所定期間の天気予報や所定期間における最高気温および最低気温を考慮して空気調和機の運転を見直すことができる。
【００１３】
第４の発明にかかる空調制御システムは、第１−第３のいずれかの発明にかかる空調制御システムにおいて、前記運転情報記憶手段には、空気調和機の運転情報として、設定温度、運転時間、風量および運転モードの少なくとも１つが記憶されることを特徴とする。
【００１４】
この空調制御システムでは、空気調和機の運転情報である設定温度、運転時間、風量および運転モードのいずれかを変更することによって予測電気代を増減させることができる。
【００１５】
第５の発明にかかる空調制御システムは、第１−第４のいずれかの発明にかかる空調制御システムにおいて、天気予報の気象情報の通信を行う通信手段を備えることを特徴とする。
【００１６】
この空調制御システムでは、外部から供給された天気予報の気象情報に基づいて予測電気代を算出できるとともに、天気予報の気象情報を表示できる。
【００１７】
第６の発明にかかる空調制御システムは、第１−第５のいずれかの発明にかかる空調制御システムにおいて、前記気象情報記憶手段が、複数の所定期間のそれぞれについての天気予報の気象情報を記憶し、前記運転情報記憶手段が、複数の所定期間のそれぞれについての空気調和機の複数の運転情報を記憶し、前記予測電気代記憶手段が、複数の所定期間のそれぞれについての予測電気代を記憶しており、前記表示画面には、複数の所定期間のそれぞれについて、前記運転情報記憶手段に記憶された複数の運転情報および前記予測電気代記憶手段に記憶された予測電気代が表示されることを特徴とする。
【００１８】
この空調制御システムでは、複数の所定期間について、それぞれ、天気予報の気象情報と空気調和機の複数の運転情報（例えば設定温度や運転時間など）に基づいて所定期間の予測電気代が算出され、その予測電気代および複数の運転情報が表示画面に表示される。したがって、ユーザは、複数の所定期間についての天気予報に基づいた予測電気代を事前に知ることができる。そして、ユーザが、予測電気代および複数の運転情報のうちで優先される優先項目を設定して、優先項目以外のいずれかの項目の内容を変更すると、その変更された内容に連動して、優先項目および変更された項目以外の残りの項目の内容が変更される。よって、ユーザは、複数の所定期間についての天気予報に基づいた予測電気代を考慮して空気調和機の運転を見直すことができる。
【００１９】
第７の発明にかかる空調制御システムは、第６のいずれかの発明にかかる空調制御システムにおいて、複数の所定期間のそれぞれについて算出された予測電気代に基づいて複数の所定期間を含む期間における予測電気代の合計を算出する予測電気代合計算出手段と、前記表示画面には、前記予測電気代合計算出手段で算出された予測電気代の合計が表示されることを特徴とする。
【００２０】
この空調制御システムでは、複数の所定期間を含む期間における予測電気代の合計が表示画面に表示されるので、ユーザは、その期間における予測電気代の合計を把握できる。
【００２１】
第８の発明にかかる空調制御システムは、第７の発明にかかる空調制御システムにおいて、前記表示画面には、複数の所定期間を含む期間における予測電気代の合計の推移が表示されることを特徴とする。
【００２２】
この空調制御システムでは、複数の所定期間を含む期間における予測電気代の合計の推移が表示画面に表示されるので、ユーザは、その期間における予測電気代の合計の推移を把握できる。
【００２３】
第９の発明にかかる空調制御システムは、第６−第８のいずれかの発明にかかる空調制御システムにおいて、複数の所定期間を含む期間のうち過去の期間における消費電気代の合計を算出する消費電気代合計算出手段を備え、前記表示画面には、前記消費電気代合計算出手段で算出された消費電気代の合計が表示されることを特徴とする。
【００２４】
この空調制御システムでは、複数の所定期間を含む期間のうち過去の期間における消費電気代の合計が表示画面に表示されるので、ユーザは、消費電気代の合計の経過を把握できる。
【００２５】
第１０の発明にかかる空調制御システムは、第９のいずれかの発明にかかる空調制御システムにおいて、前記表示画面には、過去の期間における消費電気代の合計の推移が表示されることを特徴とする。
【００２６】
この空調制御システムでは、過去の期間における消費電気代の合計の推移が表示画面に表示されるので、ユーザは、消費電気代の合計の推移を把握できる。
【発明の効果】
【００２７】
以上の説明に述べたように、本発明によれば、以下の効果が得られる。
【００２８】
第１の発明および第１１の発明では、所定期間について、天気予報の気象情報と空気調和機の複数の運転情報（例えば設定温度や運転時間など）に基づいて所定期間の予測電気代が算出され、その予測電気代および複数の運転情報が表示画面に表示される。したがって、ユーザは、天気予報に基づいた予測電気代を事前に知ることができる。そして、ユーザが、予測電気代および複数の運転情報のうちで優先される優先項目を設定して、優先項目以外のいずれかの項目の内容を変更すると、その変更された内容に連動して、優先項目および変更された項目以外の残りの項目の内容が変更される。よって、ユーザは、天気予報に基づいた予測電気代を考慮して空気調和機の運転を見直すことができる。
【００２９】
第２の発明では、天気予報の気象情報が表示画面に表示されるので、ユーザは、所定期間についての天気予報の気象情報を考慮して空気調和機の運転情報を見直すことができる。
【００３０】
第３の発明では、ユーザは、所定期間の天気や所定期間における最高気温および最低気温を考慮して空気調和機の運転情報を見直すことができる。
【００３１】
第４の発明では、空気調和機の運転情報である設定温度、運転時間、風量および運転モードのいずれかを変更することによって予測電気代を増減させることができる。
【００３２】
第５の発明では、外部から供給された天気予報の気象情報に基づいて予測電気代を算出できるとともに、天気予報の気象情報を表示できる。
【００３３】
第６の発明では、複数の所定期間について、それぞれ、天気予報の気象情報と空気調和機の複数の運転情報（例えば設定温度や運転時間など）に基づいて所定期間の予測電気代が算出され、その予測電気代および複数の運転情報が表示画面に表示される。したがって、ユーザは、複数の所定期間についての天気予報に基づいた予測電気代を事前に知ることができる。そして、ユーザが、予測電気代および複数の運転情報のうちで優先される優先項目を設定して、優先項目以外のいずれかの項目の内容を変更すると、その変更された内容に連動して、優先項目および変更された項目以外の残りの項目の内容が変更される。よって、ユーザは、複数の所定期間についての天気予報に基づいた予測電気代を考慮して空気調和機の運転を見直すことができる。
【００３４】
第７の発明では、複数の所定期間を含む期間における予測電気代の合計が表示画面に表示されるので、ユーザは、その期間における予測電気代の合計を把握できる。
【００３５】
第８の発明では、複数の所定期間を含む期間における予測電気代の合計の推移が表示画面に表示されるので、ユーザは、その期間における予測電気代の合計の推移を把握できる。
【００３６】
第９の発明では、複数の所定期間を含む期間のうち過去の期間における消費電気代の合計が表示画面に表示されるので、ユーザは、消費電気代の合計の経過を把握できる。
【００３７】
第１０の発明では、過去の期間における消費電気代の合計の推移が表示画面に表示されるので、ユーザは、消費電気代の合計の推移を把握できる。
【図面の簡単な説明】
【００３８】
【図１】本発明の実施形態に係る空調制御システムを説明する図である。
【図２】１日の予測電気代を算出するときの４つのタイムゾーンを説明する図である。
【図３】端末装置の表示画面の表示内容を説明する図である。
【図４】本発明の実施形態に係る空調制御システムの動作を説明する図である。
【発明を実施するための形態】
【００３９】
以下、本発明の実施形態に係る空調制御システム１について説明する。
【００４０】
＜空調システム１の全体構成＞
図１に示すように、本実施形態の空調制御システム１は、空調運転についてのシュミレーションを行うものであって、室内に設置される室内機２ａおよび室外に設置される室外機を有する空気調和機２と、気象情報サーバ３との間で、それぞれ情報の通信を行う端末装置４を備えている。
【００４１】
室内機２ａは、情報の通信を行う通信部を有しており、端末装置４に情報を供給するとともに、端末装置４から供給された情報を受けることができる。通信部は、例えば無線LAN、ZigBee、bluetooth、光通信などであってよい。したがって、空気調和機２では、例えば設定温度や運転時間などの運転情報を端末装置４に対して供給したり、端末装置４から供給された情報に基づいて運転が制御される。
【００４２】
端末装置４は、例えばスマートフォンなどの液晶端末であって、制御部５０を有している。制御部５０には、端末装置４に係る各種動作の制御プログラムやデータなどが格納されたＲＯＭ、端末装置４の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、図１に示すように、気象情報記憶部５１と、運転情報記憶部５２と、予測電気代記憶部５５と、優先項目記憶部５６と、連動変更部５７と、消費電気代算出部５８と、消費電気代合計算出部５９と、予測電気代合計算出部６０とが形成されている。また、制御部５０は、表示画面１０と、通信部２０とに接続されている。
【００４３】
気象情報記憶部５１は、予測電気代を算出するときに使用する天気予報の気象情報を記憶する。天気予報の気象情報として、例えば、１か月間のそれぞれの１日における天気予報、最高気温や最低気温、予測気温、予測湿度などがある。本実施形態では、天気予報の気象情報が、気象情報サーバ３から端末装置４に供給されるので、気象情報サーバ３から供給された天気予報の気象情報を記憶する。
【００４４】
運転情報記憶部５２は、予測電気代を算出するときに使用する空気調和機２の運転設定や運転時間などの運転情報を記憶する。運転情報記憶部５２は、設定温度記憶部５２ａと、運転時間記憶部５２ｂとを有している。設定温度記憶部５２ａは、予測電気代を算出するときに使用する設定温度であって、例えば１日において空気調和機２が運転されるときの設定温度を記憶する。本実施形態では、デフォルト値として、例えば空気調和機２のリモコンによってユーザが通常設定している設定温度が記憶される（工場出荷時であれば出荷時の設定温度が反映される）。運転時間記憶部５２ｂは、予測電気代を算出するときに使用する運転時間であって、１日において空気調和機２が運転される運転時間を記憶する。本実施形態では、デフォルト値として、例えば工場出荷時に定められた時間が記憶される。
【００４５】
表示制御部５３は、表示画面１０に表示される内容を制御する。本実施形態では、表示制御部５３は、１週間のそれぞれの日ごとに、天気予報の気象情報を表示する気象情報表示部６１と、予測電気代を表示する予測電気代表示部６２と、空気調和機の運転時間を表示する運転時間表示部６３と、空気調和機の設定温度を表示する設定温度表示部６４と、予測電気代および消費電気代の合計の推移を表示する電気代推移表示部６５とが表示されるように、端末装置４の表示画面１０を制御する。
【００４６】
また、ユーザによって優先項目が設定される場合には、表示制御部５３は、優先項目設定部１２ａが表示されるように、端末装置４の表示画面１０を制御する。また、ユーザによって表示画面１０に表示された空気調和機の予測電気代が変更される場合には、表示制御部５３は、予測電気代変更表示部１２ｂが表示されるように、端末装置４の表示画面１０を制御する。また、ユーザによって表示画面１０に表示された空気調和機の運転時間度が変更される場合には、表示制御部５３は、運転時間変更表示部１２ｃが表示されるように、端末装置４の表示画面１０を制御する。また、ユーザによって表示画面１０に表示された空気調和機の設定温度が変更される場合には、表示制御部５３は、設定温度変更表示部１２ｄが表示されるように、端末装置４の表示画面１０を制御する。
【００４７】
変更部５４は、ユーザによって優先項目を設定する操作が行われた場合や、ユーザによって表示画面１０に表示された運転情報を変更する操作が行われた場合に、その情報に対応した記憶部に記憶された情報を、設定された内容または変更後の内容に変更する。
【００４８】
本実施形態では、ユーザによって優先項目が設定された場合（ユーザが、予測電気代、運転時間および設定温度のいずれかを見直す日を選択して、その日の情報が表示された表示部（例えば、予測電気代表示部６２、運転時間表示部６３および設定温度表示部６４のいずれか）に触れたときに、表示画面１０に表示される優先項目設定部１２ａが操作されて優先項目が設定された場合）に、変更部５４は、優先項目記憶部５６に記憶された優先項目を、設定された内容に変更する。
【００４９】
また、ユーザによって表示画面１０に表示された空気調和機の予測電気代が変更された場合（ユーザが、表示画面１０における予測電気代を変更する日の予測電気代表示部６２に触れたときに、表示画面１０に表示される予測電気代変更表示部１２ｂが操作されて空気調和機の予測電気代が変更された場合）に、変更部５４は、予測電気代記憶部５５に記憶された予測電気代を、変更後の内容に変更する。
【００５０】
また、ユーザによって表示画面１０に表示された空気調和機の運転時間が変更された場合（ユーザが、表示画面１０における運転時間を変更する日の運転時間表示部６３に触れたときに、表示画面１０に表示される運転時間変更表示部１２ｃが操作されて空気調和機の運転時間が変更された場合）に、変更部５４は、運転時間記憶部５２ｂに記憶された運転時間を、変更後の内容に変更する。
【００５１】
また、ユーザによって表示画面１０に表示された空気調和機の設定温度が変更された場合（ユーザが、表示画面１０における設定温度を変更する日の設定温度表示部６４に触れたときに、表示画面１０に表示される設定温度変更表示部１２ｄが操作されて空気調和機の設定温度が変更された場合）に、変更部５４は、設定温度記憶部５２ａに記憶された設定温度を、変更後の内容に変更する。
【００５２】
予測電気代記憶部５５は、設定温度記憶部５３に記憶された設定温度と、運転時間記憶部５４に記憶された運転時間に対応した予測電気代を記憶する。本実施形態では、優先項目の設定や優先項目以外の項目の変更前においても、連動変更部５７が、運転時間および設定温度に基づいて予測電気代を算出して、その算出された予測電気代が予測電気代記憶部５５に記憶される。
【００５３】
優先項目記憶部５６は、ユーザによって優先項目として設定された項目を記憶する。本実施形態では、表示画面に、予測電気代と、その予測電気代に対応した運転時間および設定温度とが表示されるが、ユーザが、予測電気代、運転時間および設定温度のいずれかの項目を優先項目として設定すると、その項目が優先項目記憶部５６に記憶される。
【００５４】
連動変更部５７は、予測電気代、運転時間および設定温度のいずれかの項目が優先項目として設定された後で、予測電気代、運転時間および設定温度のうちで優先項目以外のいずれかの項目の内容が変更された場合に、優先項目および変更された項目の内容を変更しないで固定した状態で、予測電気代、運転時間および設定温度のうちで優先項目および変更された項目以外の残りの項目の内容を連動して変更する。
【００５５】
例えば、予測電気代が優先項目として設定された後で、運転時間が変更された場合には、予測電気代および運転時間を変更しないで固定した状態で、設定温度が運転時間の変更に連動して変更される。また、予測電気代が優先項目として設定された後で、設定温度が変更された場合には、予測電気代および設定温度を変更しないで固定した状態で、運転時間が設定温度の変更に連動して変更される。
【００５６】
同様に、運転時間が優先項目として設定された後で、予測電気代が変更された場合には、運転時間および予測電気代を変更しないで固定した状態で、設定温度が予測電気代の変更に連動して変更される。また、運転時間が優先項目として設定された後で、設定温度が変更された場合には、運転時間および設定温度を変更しないで固定した状態で、予測電気代が設定温度の変更に連動して変更される。
【００５７】
同様に、設定温度が優先項目として設定された後で、予測電気代が変更された場合には、設定温度および予測電気代を変更しないで固定した状態で、運転時間が予測電気代の変更に連動して変更される。また、設定温度が優先項目として設定された後で、運転時間が変更された場合には、設定温度および運転時間を変更しないで固定した状態で、予測電気代が運転時間の変更に連動して変更される。
【００５８】
このように、連動変更部５７は、予測電気代、運転時間および設定温度のうちで優先項目および変更された項目以外の残りの項目の内容を連動して変更した後、それぞれ、予測電気代記憶部５５、運転時間記憶部５４および設定温度記憶部５３に記憶させる。
【００５９】
連動変更部５７での動作について詳しく説明すると、優先項目および変更された項目が、運転時間および設定温度である場合は、その運転時間および設定温度に基づいて予測電気代を算出する。以下、気象情報記憶部５１に記憶された気象情報と運転情報記憶部５２に記憶された運転情報（運転時間および設定温度）に基づいて、１日の予測電気代を算出する方法について説明する。１日の予測電気代の算出方法としては、予測気温と設定温度とから、その条件下で消費される電力をあらかじめ作成されたデーターベースより導き出す。データーベースは、端末装置４にダウンロードされているか、サーバ上に置かれていてインターネットを介してデータを利用できるものとする。また、データ照会、もしくはデーターベースにより構築された算出式を使用して電力を導き出してもよい。本実施形態では、図２に示すように、１日を４つのタイムゾーンに区切って、そのタイムゾーンごとに導き出された消費電力と、そのタイムゾーンごとの運転時間により、タイムゾーンごとの消費電力量が推測される。そして、その消費電力量に対応する電気代が、タイムゾーンの予測電気代となり、タイムゾーンごとの予測電気代を合わせたものが、その日の予測電気代となる。したがって、本実施形態では、４つのタイムゾーンごとについて予測気温を使用して予測電気代が算出されることで、１日の予測電気代が算出される。図２では、タイムゾーンごとの予測気温をｔ１−ｔ４（℃）とし、設定温度をａ１−ａ４（℃）とし、運転時間をＴ１−Ｔ４（時間）としている。予測気温ｔ１−ｔ４（℃）は気象情報サーバ３から供給されたものであって、設定温度ａ１−ａ４（℃）はユーザが通常設定している設定温度であって、運転時間Ｔ１−Ｔ４（時間）は工場出荷時デフォルトで定められた時間である。本実施形態では、１日の予測電気代を算出する場合に、その日における空気調和機２の設定温度は一定であって（設定温度ａ１−ａ４（℃）が同一温度）、運転時間Ｔ１−Ｔ４（時間）は、例えば、工場出荷時デフォルトで定められた時間であって、いずれも同一時間とする。
【００６０】
一方、優先項目および変更された項目が、予測電気代および運転時間である場合は、連動変更部５７では、予測電気代を変更しないで固定した状態で、その予測電気代および運転時間に対応する設定温度を導き出すことができる。同様に、優先項目および変更された項目が、予測電気代および設定温度である場合は、連動変更部５７では、予測電気代を変更しないで固定した状態で、その予測電気代および設定温度に対応する運転時間を導き出すことができる。このように、空気調和機の設定温度と運転時間は相関関係にあり、予測電気代を変化させないで固定した状態で、一方を変更するとそれに対応して他方が変化する。空気調和機の運転時間と設定温度は、それぞれ設定した予測電気代を達成できる範囲で微調整が可能であり、暖房の場合は設定温度を高くする（空調負荷を高くする） と運転時間が短くなって、冷房の場合は設定温度を低くする（空調負荷を高くする） と運転時間が短くなる。また、暖房の場合は設定温度を低くする（省エネ設定になる）と運転時間が長くなって、冷房の場合は設定温度を高くする（省エネ設定になる）と運転時間が長くなる。
【００６１】
消費電気代算出部５８は、１日の消費電気代を算出する。消費電気代算出部５６では、空気調和機２の１日の消費電力量と、登録された１時間あたりの電力料金単価（出荷時は22円/ｋＷｈ）から、１日の消費電気代が算出される。電力会社との契約プランによって時間で電力料金単価が変動する場合は、時間帯ごとの電力料金単価を登録または、契約プランを登録しておけば、時間帯毎の単価で計算される。
【００６２】
消費電気代合計算出部５９は、１か月のうちでこれまでに消費された消費電気代の合計を算出する。したがって、消費電気代合計算出部５９は、１か月のうち過去の期間について、消費電気代算出部５６で算出された１日の消費電気代に基づいて、これまでに消費された消費電気代の合計を算出する。
【００６３】
予測電気代合計算出部６０は、１か月間における予測電気代の合計を算出する。予測電気代合計算出部６０は、消費電気代合計算出部５９で算出された１か月のうち過去の期間における消費電気代の合計と、これからの期間のそれぞれの日における予測電気代とに基づいて、１か月間における予測電気代の合計を算出する。したがって、予測電気代合計算出部６０は、１か月のうち過去の期間における消費電気代の合計と１か月が経過する前の所定の日までのそれぞれの日における予測電気代とに基づいて、１か月が経過する前の所定の日までの予測電気代の合計を算出するとともに、１か月のうち過去の期間における消費電気代の合計と１か月が経過する日までのそれぞれの日における予測電気代とに基づいて、１か月間の予測電気代の合計を算出する。
【００６４】
次に、空調制御システム１の端末装置４の表示画面１０の表示内容について、図３を参照しつつ説明する。図３（ａ）は、ユーザが端末装置４においてシュミレーションを行う前の表示画面の一例であって、図３（ｂ）は、ユーザが端末装置４においてシュミレーションを行った後の表示画面の一例である。本実施形態では、暖房運転についてのシュミレーションを行う場合について説明する。
【００６５】
端末装置４の表示画面１０には、１週間のそれぞれの日ごとに、天気予報の気象情報を表示する気象情報表示部６１と、予測電気代を表示する予測電気代表示部６２と、空気調和機の運転時間を表示する運転時間表示部６３と、空気調和機の設定温度を表示する設定温度表示部６４と、予測電気代および消費電気代の合計の推移を表示する電気代推移表示部６５とを有している。
【００６６】
気象情報表示部６１には、その日の天気予報と、その日の最高気温および最低気温が表示される。
【００６７】
予測電気代表示部６２は、それぞれの日ごとに、その日の予測気温と、運転時間表示部６３に表示される運転時間と、設定温度表示部６４に表示される設定温度に対応した予測電気代が表示される。したがって、ユーザによって、優先項目として予測電気代が設定された場合は、運転時間や設定温度が変更された場合でも、予測電気代表示部６２に表示される予測電気代は変更されない。また、ユーザによって、優先項目として運転時間および設定温度のいずれか一方が設定された後、運転時間および設定温度のいずれか他方が変更された場合、予測電気代表示部６２に表示される予測電気代は変更される。
【００６８】
運転時間表示部６３には、運転情報記憶部５２に記憶される空気調和機２の運転時間が表示される。図３（ａ）では、１日の運転時間（１０時間）がデフォルト値として表示されている。現在の日（１４日）の運転時間については、すでに４時間が運転されているので、あと６時間と表示されている。したがって、ユーザは、このデフォルト値に基づいて算出された予測電気代に基づいて検討して、図３（ｂ）に示すように、それぞれの日ごとの運転時間を変更することができる。
【００６９】
設定温度表示部６４には、空気調和機２の設定温度が表示される。図３（ａ）では、ユーザが通常設定している設定温度（２０℃）がデフォルト値として表示されている。したがって、ユーザは、このデフォルト値に基づいて算出された予測電気代に基づいて検討して、図３（ｂ）に示すように、それぞれの日ごとの設定温度を変更することができる。
【００７０】
なお、本実施形態では、１日の予測気温は気象情報表示部６１に表示されないが、運転時間および設定温度に対応する予測電気代を算出するときは、１日の予測気温が使用される。
【００７１】
電気代推移表示部６５は、予測電気代が表示された１週間を含む１か月間のそれぞれの日における予測電気代と、予測電気代が表示された１週間を含む１か月間における予測電気代および消費電気代の合計の推移を、グラフとしてそれぞれ表示する。図３では、１か月間のそれぞれの日における予測電気代が棒グラフで図示され、予測電気代の合計の推移が点線で図示され、消費電気代の合計の推移が実線で図示されている。図３では、縦軸の横に２つの数値が記載されており、右側の数値が１か月間のそれぞれの日における予測電気代に対応し、左側の数値が予測電気代の合計および消費電気代の合計に対応する。したがって、電気代推移表示部６５では、１か月のそれぞれの日の予測電気代が表示されるとともに、１か月のそれぞれの日までの予測電気代の合計および消費電気代の合計が表示されると考えられる。したがって、ユーザは、電気代推移表示部６５に基づいて、１か月間において、これまでに消費した消費電気代の合計（１か月間における過去の期間における消費電気代の合計）と、１か月間における予測電気代の合計とを把握することができる。また、電気代推移表示部６５には、予測電気代の合計の推移のグラフの右端に、ユーザによって設定された１か月間の予測電気代の合計の目標が表示される。したがって、ユーザは、予測電気代の合計の推移に基づいて、表示画面１０に表示された運転時間および設定温度で空気調和機を運転した場合に、予測電気代の合計が１か月間の予測電気代の合計の目標を超えるか否かを知ることができる。また、電気代推移表示部６５には、予測電気代の合計を１か月間の予測電気代の合計の目標と同一にすると考えた場合に、１か月間のこれからの期間（過去の期間でない期間）についての１日の予測電気代の目安が表示されている。１日の予測電気代の目安は、１か月間における予測電気代の合計の目標から、１か月間の過去の期間における消費電気代の合計を引いて、１か月間のこれからの期間（過去の期間でない期間）の日数で除算したものである。したがって、ユーザによって、１か月間における予測電気代の合計の目標が変更された場合、１日の予測電気代の目安も変更される。よって、ユーザは、予測電気代の合計と１か月間の予測電気代の合計の目標との差や、これからの期間の予測電気代と１日の予測電気代の目安との差に基づいて、空気調和機の運転時間または設定温度を見直したり、１か月間の予測電気代の合計の目標を見直すことができる。
【００７２】
なお、１か月間のこれからの期間（過去の期間でない期間）についての予測電気代は、表示画面１０に表示された期間（１週間）については、設定温度表示部６４に表示される設定温度に基づいて予測電気代が算出され、表示画面１０に表示されてない期間（１週間より後の期間）については、ユーザが通常設定しているデフォルト値の設定温度に基づいて予測電気代が算出される。
【００７３】
そして、ユーザが、予測電気代、運転時間および設定温度のいずれかの項目を優先項目として設定するときには、図１に示すように、表示画面１０に、優先項目を設定するための優先項目設定部１２ａが表示される。したがって、表示画面１０に表示された期間（１週間）について、予測電気代、運転時間および設定温度のいずれかを見直す日を選択すると、優先項目設定部１２ａが表示されるので、予測電気代、運転時間および設定温度のいずれかを設定することができる。本実施形態では、ユーザが、予測電気代、運転時間および設定温度のいずれかを見直す日を選択して、その日の情報が表示された表示部（例えば、予測電気代表示部６２、運転時間表示部６３および設定温度表示部６４のいずれか）に触れたときに、表示画面１０に表示される優先項目設定部１２ａが、本発明における優先項目を設定する設定手段である。
【００７４】
また、ユーザが表示画面１０に表示される予測電気代を変更する場合に、ユーザが表示画面１０における設定温度を変更する日の予測電気代表示部６２（予測電気代が表示された部分）に触れると、図１に示すように、表示画面１０に、予測電気代を変更するための予測電気代変更部１２ｂが表示される。予測電気代変更部１２ｂとしては、例えば、変更可能な複数の予測電気代が表示されることが考えられる。したがって、ユーザは、変更可能な複数の予測電気代のうちのいずれかの予測電気代を選択することで、表示画面１０の予測電気代表示部６２に表示される予測電気代を変更することができる。本実施形態では、ユーザが、表示画面１０における予測電気代を変更する日の予測電気代表示部６２に触れたときに、表示画面１０に表示される予測電気代変更部１２ｂが、本発明における空気調和機の予測電気代を変更する変更手段である。
【００７５】
また、ユーザが表示画面１０に表示される運転時間を変更する場合に、ユーザが表示画面１０における運転時間を変更する日の運転時間表示部６３（運転時間が表示された部分）に触れると、図１に示すように、表示画面１０に、運転時間を変更するための運転時間変更部１２ｃが表示される。運転時間変更部１２ｃとしては、例えば、変更可能な複数の運転時間が表示されることが考えられる。したがって、ユーザは、変更可能な複数の運転時間のうちのいずれかの運転時間を選択することで、表示画面１０の運転時間表示部６３に表示される運転時間を変更することができる。本実施形態では、ユーザが、表示画面１０における運転時間を変更する日の運転時間表示部６３に触れたときに、表示画面１０に表示される運転時間変更部１２ｃが、本発明における空気調和機の運転時間を変更する変更手段である。また、本実施形態では、運転時間を変更するときに、設定温度表示部６４に表示された設定温度を考慮して、調整可能な運転時間の設定幅は健康上問題のない範囲が提示されるので、運転時間が、冷房および暖房の場合の上限であれば、運転時間を延ばすには予測電気代を調整しなければならない。このように、天気予報と使用電気代、運転時間、設定温度を総合的に判断し、ユーザが体調や予算を考慮して近未来の予定及び目標を立てるのに利用できるだけでなく、目標が達成できるレベルかどうかの検証も事前に行える。これにより、ユーザの理解を促し無理のない堅実な設定をユーザ自身の意思によって決定できる。
【００７６】
また、ユーザが表示画面１０に表示される設定温度を変更する場合に、ユーザが表示画面１０における設定温度を変更する日の設定温度表示部６４（設定温度が表示された部分）に触れると、図１に示すように、表示画面１０に、設定温度を変更するための設定温度変更部１２ｄが表示される。設定温度変更部１２ｄとしては、例えば、変更可能な複数の設定温度が表示されることが考えられる。したがって、ユーザは、変更可能な複数の設定温度のうちのいずれかの設定温度を選択することで、表示画面１０の設定温度表示部６４に表示される設定温度を変更することができる。本実施形態では、ユーザが、表示画面１０における設定温度を変更する日の設定温度表示部６４に触れたときに、表示画面１０に表示される設定温度変更部１２ｄが、本発明における空気調和機の設定温度を変更する変更手段である。また、本実施形態では、設定温度を変更するときに、運転時間表示部６３に表示された運転時間を考慮して、調整可能な設定温度の設定幅は健康上問題のない範囲が提示されるので、設定温度が、冷房の場合の上限、暖房の場合の下限であれば、運転時間を延ばすには予測電気代を調整しなければならない。このように、天気予報と使用電気代、運転時間、設定温度を総合的に判断し、ユーザが体調や予算を考慮して近未来の予定及び目標を立てるのに利用できるだけでなく、目標が達成できるレベルかどうかの検証も事前に行える。これにより、ユーザの理解を促し無理のない堅実な設定をユーザ自身の意思によって決定できる。
【００７７】
このように、本実施形態では、１日が本発明における所定期間であって、１週間が本発明における複数の所定期間であって、１か月が本発明における複数の所定期間を含む期間である。したがって、気象情報記憶部５１が、１か月のそれぞれの日についての天気予報の気象情報を記憶し、運転情報記憶部５２が、１か月のそれぞれの日についての空気調和機の運転情報を記憶しており、端末装置４の表示画面１０には、１週間のそれぞれの日について、天気予報の気象情報、空気調和機の運転情報、予測電気代が表示される。また、消費電気代合計算出部５９が、１か月のうち過去の期間における消費電気代の合計を算出するとともに、予測電気代合計算出部６０が、消費電気代合計算出部５９で算出された１か月のうち過去の期間における消費電気代の合計と、これからの期間のぞれぞれの日における予測電気代とに基づいて、１か月における予測電気代の合計を算出する。したがって、本実施形態では、空気調和機の運転時間および設定温度に対し、１日の電気代がどの程度かかるのかを、天気予報の予測気温などの条件を加え、より精度を高めた週間の予測電気代の予報を提示することができる。よって、ユーザは、その週間の天気情報と予測電気代を確認して、空気調和機の運転時間および設定温度の計画を出来る。
【００７８】
次に、空調制御システム１の動作について、図４を参照しつつ説明する。
【００７９】
まず、気象情報サーバ３から端末装置４に対して天気予報の気象情報が供給されると、天気予報の気象情報が端末装置４の気象情報記憶部５１に記憶される（ステップＳ１）。すると、気象情報記憶部５１に記憶された天気予報の気象情報と、運転情報記憶部５２に記憶された空気調和機の運転情報に基づいて、所定の１か月のそれぞれの１日の予測電気代が算出される（ステップＳ２）。本実施形態では、端末装置４の表示画面１０には、空気調和機の運転情報として、運転情報記憶部５２に記憶された運転情報が表示されるので、気象情報記憶部５１に記憶された天気予報の気象情報と、表示画面１０に表示された運転情報に基づいて、１日の予測電気代が算出される。
【００８０】
すると、表示画面１０に、所定の１か月に含まれる１週間のそれぞれの日について、天気予報の気象情報、空気調和機の予測電気代および運転情報が表示される（ステップＳ３）。そして、ユーザが空気調和機の予測電気代および運転情報の見直しを行うか否かを判断する（ステップＳ４）。そして、ユーザによって予測電気代および空気調和機の運転情報の見直しを行う場合には（ステップＳ４：ＹＥＳ）、ユーザが優先項目を設定する（ステップＳ５）。そして、ユーザが優先項目以外のいずれかの項目の内容を変更すると（ステップＳ６）、優先項目および変更された項目の内容を変更しない状態で、残りの項目の内容が連動して変更されて（ステップＳ７）、ステップＳ３に移行する。一方、ユーザが予測電気代および空気調和機の運転情報の見直しを行わない場合には（ステップＳ４：ＮＯ）、ステップＳ３に移行する。
【００８１】
なお、図４に示した動作では、ユーザが空気調和機の予測電気代および運転情報の見直しを行うまでの動作を説明したが、ユーザが空気調和機の予測電気代および運転情報の見直しを行った後、そのときに表示画面に表示された運転情報（運転時間および設定温度）に基づいて空気調和機を制御する場合には、ステップＳ７の後、そのときに表示画面に表示された運転情報を端末装置４から空気調和機２の室内機２ａに供給してもよい。この場合、運転情報が端末装置４から室内機２ａに供給されたときに、空気調和機２が運転されている場合は、端末装置４から供給された運転情報（現在の日の運転情報）に変更されて運転が継続される。また、運転情報が端末装置４から室内機２ａに供給されたときに、空気調和機２が運転されてないがタイマー設定がされている場合は、そのタイマー設定に基づいて空気調和機２の運転が開始されるときに、端末装置４から供給された運転情報で運転が開始される。
【００８２】
次に、図３（ａ）の表示画面から図３（ｂ）の表示画面への変化について説明する。
【００８３】
図３（ａ）の表示画面では、１週間のそれぞれの日について、空気調和機２の設定温度として、ユーザが通常設定しているデフォルト値の設定温度（２０℃）が表示され、空気調和機２の運転時間として、デフォルト値の運転時間（１０時間）が表示されており、そのデフォルト値に基づいて算出された予測電気代が表示されている。
【００８４】
そして、ユーザが、天気予報の気象情報に基づいて、例えば、１４日について、設定温度を変更しないで予測電気代を減少させるために、優先項目として設定温度を設定して、予測電気代を１１円に変更した場合には、設定温度および予測電気代を変更しないで固定した状態で、運転時間があと２時間に変更された。
【００８５】
また、ユーザが、天気予報の気象情報に基づいて、例えば、１５日について、設定温度を変更しないで運転時間を増加させるために、優先項目として設定温度を設定して、運転時間を１２時間に変更する場合を考えると、変更可能な運転時間として１１時間が表示されるが１２時間が表示されないので、運転時間を１１時間に変更可能であるが１２時間に変更できない（運転時間を１１時間に変更すると、設定温度が１９℃に変更される）。したがって、優先項目として設定温度を設定して、予測電気代を変更しないで運転時間を１２時間に変更することができないので、運転時間を１２時間に変更するために、優先項目として設定温度を設定して、予測電気代を２４円に変更した。すると、設定温度および予測電気代を変更しないで固定した状態で、運転時間が１２時間に変更された。
【００８６】
また、ユーザが、天気予報の気象情報に基づいて、例えば、１６日について、予測電気代を変更しないで設定温度を高くするために、優先項目として予測電気代を設定して、設定温度を２２℃に変更した場合には、予測電気代および設定温度を変更しないで固定した状態で、運転時間が８時間に変更された。
【００８７】
また、ユーザが、天気予報の気象情報に基づいて、例えば、１７日について、設定温度を変更しないで予測電気代を減少させるために、優先項目として設定温度を設定して、予測電気代を１０円に変更した場合には、設定温度および予測電気代を変更しないで固定した状態で、運転時間が５時間に変更された。
【００８８】
また、ユーザが、天気予報の気象情報に基づいて、例えば、１８日について、設定温度を変更しないで予測電気代を減少させるために、優先項目として設定温度を設定して、予測電気代を９円に変更した場合には、設定温度および予測電気代を変更しないで固定した状態で、運転時間が５時間に変更された。
【００８９】
また、ユーザが、天気予報の気象情報に基づいて、例えば、２０日について、空気調和機２を使用しないので、予測電気代を０円に変更した。すると、運転時間は０時間に変更され、設定温度は表示されなくなった。
【００９０】
空気調和機の予測電気代および運転情報の見直しの後、予測電気代の合計の推移を示すグラフが、図３（ａ）の表示画面に表示される予測電気代の合計の推移から変更される。図３（ａ）の表示画面では、１か月の予測電気代の合計がその目標（５５０円）を超えるのに対し、図３（ｂ）の表示画面では、１か月の予測電気代の合計がその目標（５５０円）より少なくなっている。そして、予測電気代の合計の推移が変更したことによって、１日の予測電気代の目安も変更されている。
【００９１】
＜本実施形態の空調制御システム（空調制御プログラム）の特徴＞
本実施形態の空調制御システム１および空調制御プログラムでは、１週間のそれぞれの日について、それぞれ、天気予報の気象情報と空気調和機の複数の運転情報（例えば設定温度や運転時間など）に基づいて１日の予測電気代が算出され、その予測電気代および複数の運転情報が表示画面に表示される。したがって、ユーザは、１週間のそれぞれの日についての天気予報に基づいた予測電気代を事前に知ることができる。そして、ユーザが、予測電気代および複数の運転情報のうちで優先される優先項目を設定して、優先項目以外のいずれかの項目の内容を変更すると、その変更された内容に連動して、優先項目および変更された項目以外の残りの項目の内容が変更される。よって、ユーザは、１週間のそれぞれの日についての天気予報に基づいた予測電気代を考慮して空気調和機の運転を見直すことができる。
【００９２】
また、本実施形態の空調制御システム１では、天気予報の気象情報が表示画面に表示されるので、ユーザは、１週間のそれぞれの日について、天気予報の気象情報を考慮して空気調和機の運転情報を見直すことができる。
【００９３】
また、本実施形態の空調制御システム１では、天気予報の気象情報として、所定期間の天気や所定期間における最高気温および最低気温が表示画面に表示されるので、ユーザは、１週間のそれぞれの日について、天気や最高気温および最低気温を考慮して空気調和機の運転情報を見直すことができる。
【００９４】
また、本実施形態の空調制御システム１では、表示画面に表示される空気調和機の設定温度を変更することによって予測電気代を増減させることができる。
【００９５】
また、本実施形態の空調制御システム１では、端末装置が通信部を有しているので、外部から供給された天気予報に基づいて予測電気代を算出できるとともに、天気予報の気象情報を表示できる。
【００９６】
また、本実施形態の空調制御システム１では、１か月における予測電気代の合計が表示画面に表示されるので、ユーザは、その期間における予測電気代の合計を把握できる。
【００９７】
また、本実施形態の空調制御システム１では、１か月における予測電気代の合計の推移が表示画面に表示されるので、ユーザは、その期間における予測電気代の合計の推移を把握できる。
【００９８】
また、本実施形態の空調制御システム１では、１か月のうち過去の期間における消費電気代の合計が表示画面に表示されるので、ユーザは、消費電気代の合計の経過を把握できる。
【００９９】
また、本実施形態の空調制御システム１では、１か月のうち過去の期間における消費電気代の合計の推移が表示画面に表示されるので、ユーザは、消費電気代の合計の推移を把握できる。
【０１００】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【０１０１】
例えば、上述の実施形態では、１日が本発明における所定期間であって、１週間が本発明における複数の所定期間であって、１か月が本発明における複数の所定期間を含む期間である場合について説明したが、本発明における、所定期間、複数の所定期間および複数の所定期間を含む期間は、それぞれ、その他の期間に変更してもよい。
【０１０２】
また、上述の実施形態では、表示画面に、１週間のそれぞれの日（複数の日）について、天気予報の気象情報、空気調和機の運転情報、予測電気代が表示される場合について説明したが、１日だけについて、天気予報の気象情報、空気調和機の運転情報、予測電気代が表示されるものであってもよい。
【０１０３】
また、上述の実施形態では、表示画面に、１週間のそれぞれの日について、天気予報の気象情報、空気調和機の運転情報、予測電気代が表示される場合について説明したが、表示画面に、天気予報の気象情報が表示されないものであってもよい。また、表示画面に、天気予報の気象情報が表示される場合において、表示画面の気象情報表示部に表示される天気予報の気象情報は、その日の天気予報と、その日の最高気温および最低気温に限らない。したがって、その日の天気予報と、その日の最高気温および最低気温の少なくとも１つが表示されてもよいし、その他の天気予報の気象情報が表示されてもよい。
【０１０４】
また、上述の実施形態では、端末装置の表示画面に、１か月間の予測電気代の合計および消費電気代の合計の推移が表示されるが、１か月間の予測電気代の合計および消費電気代の合計の推移の一方だけが表示されてもよいし、１か月間の予測電気代の合計および消費電気代の合計の推移がいずれも表示されなくてもよい。１か月間の予測電気代の合計および消費電気代の合計の推移がいずれも表示されない場合は、気象情報記憶部が、表示画面に予測電気代が表示される１週間のそれぞれの日についての天気予報の気象情報を記憶し、運転情報記憶部５２が、１週間のそれぞれの日についての空気調和機の運転情報を記憶するものであってもよい。また、端末装置の表示画面に、１か月間の予測電気代の合計、消費電気代、消費電気代の合計が表示されないものであってもよい。
【０１０５】
また、上述の実施形態では、１日の予測電気代を算出する場合に、天気予報の気象情報として予測気温を使用して算出する場合について説明したが、予測気温の他の気象情報を使用して算出してもよい。したがって、例えば湿度などが影響する設定に関しては、天気・雨量なども考慮して１日の予測電気代を算出してもよい。
【０１０６】
また、上述の実施形態では、１日の予測電気代の算出方法として、１日を４つのタイムゾーンに区切って、そのタイムゾーンごとに導き出された消費電力と、そのタイムゾーンごとの運転時間により、タイムゾーンごとの消費電力量を推測し、その消費電力量に対応する電気代がタイムゾーンの予測電気代となり、タイムゾーンごとの予測電気代を合わせることで予測電気代を算出する場合について説明したが、１日の予測電気代の算出方法は変更してもよい。例えば、１日を複数のタイムゾーンに区切る場合に、１日のタイムゾーンの数は変更してもよい。また、タイムゾーンのそれぞれの運転時間が、工場出荷時デフォルトで定められた時間（いずれも同一時間）である場合について説明したが、タイムゾーンのそれぞれの運転時間が、ユーザの運転パターンに基づいて決められてもよい。例えば、ユーザが１週間使用すると、曜日ごとの使用時間を記憶し、その使用時間に基づいて決めてもよいし、２週間以降は各曜日ごとに運転パターンを学習し、ユーザの習慣を習得して、その習慣に基づいて決めてもよいし、１年が経過すると、昨年の習慣情報を活用したり、気温に対する設定温度の傾向を学習し、その内容に基づいて決めてもよい。また、４つのタイムゾーンにおいて同一温度である場合を説明したが、空気調和機構の設定温度についても、運転パターンを学習し、ユーザの習慣を習得して、４つのタイムゾーンごとの設定温度を、その習慣に基づいて決めてもよい。この場合、空気調和機の運転時間をユーザの意図に近づけることができる。
【０１０７】
また、上述の実施形態では、予測電気代と、空気調和機の運転情報として空気調和機の運転時間および設定温度が表示画面に表示される場合について説明したが、空気調和機の運転情報として、風量および運転モードのいずれかが表示されるものであってもよい。空気調和機の運転情報として運転モードが表示される場合について、複数の運転モードのいずれかに変更するものであってもよいし、空気調和機の運転情報として、各運転モードの単独設定以外に、複数の運転モードのそれぞれの運転時間の比率を変更するものであってもよい。例えば、冷房運転と除湿運転にそれぞれ対応した運転モードでの運転を行う空気調和機において、冷房運転と除湿運転との運転時間比率を変更するものであってもよい。また、暖房運転と加湿暖房運転にそれぞれ対応した運転モードでの運転を行う空気調和機において、暖房運転と加湿暖房運転の運転時間比率を変更するものであってもよい。
【０１０８】
また、上述の実施形態では、予測電気代と、空気調和機の運転情報として空気調和機の運転時間および設定温度が表示画面に表示され、優先項目として、予測電気代、運転時間および設定温度のいずれかの項目が設定される場合について説明したが、予測電気代と、空気調和機の運転情報として３以上の運転情報が表示画面に表示され、優先項目として、予測電気代および３以上の運転情報のうちの複数の項目が設定されてもよい。また、優先項目として、予測電気代、運転時間および設定温度のいずれかの項目が固定されたものであってもよい。
【０１０９】
また、上述の実施形態では、表示画面に表示される運転時間や設定温度を変更するときに、調整可能な運転時間や設定温度の設定幅は健康上問題のない範囲が提示される場合について説明したが、表示画面に表示される運転時間や設定温度を変更するときに、運転時間や設定温度の設定幅が限定されないものであってもよい。
【０１１０】
また、上述の実施形態では、気象情報記憶部が、気象情報サーバから供給された天気予報の気象情報を記憶する場合について説明したが、例えば、ユーザによって天気予報の気象情報が気象情報記憶部に対して登録されるものであってもよい。
【０１１１】
また、上述の実施形態では、本発明の空調システムが、表示画面、気象情報記憶部、運転情報記憶部、予測電気代記憶部、優先項目記憶部および連動変更部を有する端末装置で構成される場合について説明したが、その他、本発明の空調システムは、表示画面、気象情報記憶部、運転情報記憶部、予測電気代記憶部、優先項目記憶部および連動変更部を有するものを含む。したがって、例えば、本発明の空調システムが、端末装置と、他の装置やサーバなどによって構成されてもよい。
【産業上の利用可能性】
【０１１２】
本発明を利用すれば、ユーザは、例えば天気予報に基づいて予測電気代を見直すことができる。
【符号の説明】
【０１１３】
１  空調システム
１０  表示画面
１２ａ  優先項目設定部
１２ｂ  予測電気代変更表示部
１２ｃ  運転時間変更表示部
１２ｄ  設定温度変更表示部
２０  通信部（通信手段）
５０  制御部
５１  気象情報記憶部（気象情報記憶手段）
５２  運転情報記憶部（運転情報記憶手段）
５２ａ  設定温度記憶部
５２ｂ  運転時間記憶部
５３  表示制御部（表示制御手段）
５４  変更部（変更手段）
５５  予測電気代記憶部（予測電気代記憶手段）
５６  優先項目記憶部
５７  連動変更部
５８  消費電気代算出部
５９  消費電気代合計算出部（消費電気代合計算出手段）
６０  予測電気代合計算出部（予測電気代合計算出手段）
【図１】
2014231964.tif 000003
【図２】
2014231964.tif 000004
【図３】
2014231964.tif 000005
【図４】
2014231964.tif 000006